(57)【要約】放射線医学ワークステーション（１０）が放射線医学検査アーカイブ（２０）に記憶されている放射線医学検査にアクセスするよう接続されたコンピュータ（１２）を含む。少なくとも一つのプロセッサ（２２）が：放射線医学検査の読影を行なうためのユーザー・インターフェース（２４）を提供することであって：読影中の現在の放射線医学検査の画像をディスプレイ（１４）に表示する段階；前記一つまたは複数のユーザー入力装置（１６）を介してユーザー入力を受領し、前記ユーザー入力に基づいて、画像の前記表示を操作し、読影中に過去の放射線医学検査を開いて閲覧し、読影を要約する放射線医学レポートを受け取り、該放射線医学レポートを前記放射線医学検査アーカイブに記憶するよう動作する段階；および放射線医学検査の読影の間に前記一つまたは複数のユーザー入力装置を介して受領されたユーザー入力の活動ログを記録する段階とを含む、ことを実行するよう前記コンピュータを動作させるようプログラムされる。患者の現在の放射線医学検査の放射線科医による読影を行なうために前記ユーザー・インターフェースを提供している間に、前記少なくとも一つのプロセッサはさらに：当該放射線科医によって行なわれた読影の間に当該放射線科医が過去の放射線医学検査を開き、閲覧することを記録する前記活動ログの内容から導出される、放射線科医固有の関連性識別基準を使って、前記放射線医学検査アーカイブに記憶されている当該患者の少なくとも一つの以前に読影された放射線医学検査を、当該患者の前記現在の放射線医学検査に関連するものとして識別する段階；および前記少なくとも一つの、関連する、以前に検査された放射線医学検査の指標を前記ディスプレイに表示する段階とを含む、ことを実行するようプログラムされる。
2019537114.tif 000002
【特許請求の範囲】
【請求項１】
放射線医学検査アーカイブに記憶されている放射線医学検査にアクセスするよう接続されたコンピュータを有する放射線医学ワークステーションであって、前記コンピュータはディスプレイと、一つまたは複数のユーザー入力装置と、少なくとも一つのプロセッサとを含み、前記少なくとも一つのプロセッサは：
放射線医学検査の読影を行なうためのユーザー・インターフェースを提供することであって：
読影中の現在の放射線医学検査の画像を前記ディスプレイに表示する段階；
前記一つまたは複数のユーザー入力装置を介してユーザー入力を受領し、前記ユーザー入力に基づいて、画像の前記表示を操作し、読影中に過去の放射線医学検査を開いて閲覧し、読影を要約する放射線医学レポートを受け取り、該放射線医学レポートを前記放射線医学検査アーカイブに記憶するよう動作する段階；および
放射線医学検査の読影の間に前記一つまたは複数のユーザー入力装置を介して受領されたユーザー入力の活動ログを記録する段階とを含む、ことと；
患者の現在の放射線医学検査の放射線科医による読影を行なうために前記ユーザー・インターフェースを提供している間に、関連する過去の放射線医学検査勧告プロセスを実行することであって：
当該放射線科医によって行なわれた読影の間に当該放射線科医が過去の放射線医学検査を開き、閲覧することを記録する前記活動ログの内容から導出される、放射線科医固有の関連性識別基準を使って、前記放射線医学検査アーカイブに記憶されている当該患者の少なくとも一つの以前に読影された放射線医学検査を、当該患者の前記現在の放射線医学検査に関連するものとして識別する段階；および
前記少なくとも一つの、関連する、以前に検査された放射線医学検査の指標を前記ディスプレイに表示する段階とを含む、こと
とを実行するよう前記コンピュータを動作させるようプログラムされている、放射線医学ワークステーション。
【請求項２】
前記識別する段階が：
ある特徴の集合について、前記現在の放射線医学検査の特徴値と一致する特徴値を有する前記放射線科医によって読影された等価な放射線医学検査を同定し；
前記等価な放射線医学検査を読影している間に、前記放射線科医によって前記活動ログ記録が開かれて閲覧された参照放射線医学検査を同定し；
前記患者の前記少なくとも一つの以前に読影された放射線医学検査を、前記患者の前記少なくとも一つの以前に読影された放射線医学検査の特徴値と前記参照放射線医学検査の特徴値との類似性に基づいて同定することを含む、
請求項１記載の放射線医学ワークステーション。
【請求項３】
前記特徴の集合が、画像モダリティー、身体部分、身体セクション、主要身体構造、検査の理由、手順の記述および検査日のうちの少なくとも三つを含む、請求項２記載の放射線医学ワークステーション。
【請求項４】
前記特徴の集合が、少なくとも画像モダリティー、身体部分、身体セクション、主要身体構造および検査の理由を含む、請求項２記載の放射線医学ワークステーション。
【請求項５】
参照放射線医学検査の同定がさらに：
それぞれの参照放射線医学検査に対して、その参照放射線医学検査を開いて閲覧することに関係する前記活動ログの内容に基づいて、関連性メトリックを割り当てることを含み、該関連性メトリックは：閲覧された画像の数；以前の検査の諸画像の全閲覧時間；全スクロール距離、マウス・クリックの総数および以前の検査が開いていた総時間のうちの少なくとも二つを含む、
請求項２または３記載の放射線医学ワークステーション。
【請求項６】
前記患者の前記少なくとも一つの以前に読影された放射線医学検査を、特徴値の類似性に基づいて同定することが：
前記抽出された特徴および前記関連性メトリックを使ってモデルをトレーニングし；
前記モデルを、前記患者の前記少なくとも一つの以前に読影された放射線医学検査の前記特徴値に適用して、前記患者の前記現在の放射線医学検査に対する関連性を同定することを含む、
請求項２ないし４のうちいずれか一項記載の放射線医学ワークステーション。
【請求項７】
前記少なくとも一つのプロセッサがさらに、
前記患者の前記少なくとも一つの以前に読影された放射線医学検査の、前記患者の前記現在の放射線医学検査に対する前記の決定された関連性に基づいて、前記モデルを更新するようプログラムされている、
請求項６記載の放射線医学ワークステーション。
【請求項８】
画像取得方法を実行するよう少なくとも一つのプロセッサを制御するためのソフトウェアを担持する非一時的なコンピュータ可読媒体であって、前記方法は：
放射線医学検査の読影を行なうためのユーザー・インターフェースを提供することであって：
読影中の現在の放射線医学検査の画像を前記ディスプレイに表示する段階；
前記一つまたは複数のユーザー入力装置を介してユーザー入力を受領し、前記ユーザー入力に基づいて、画像の前記表示を操作し、読影中に過去の放射線医学検査を開いて閲覧し、読影を要約する放射線医学レポートを受け取り、該放射線医学レポートを前記放射線医学検査アーカイブに記憶するよう動作する段階；および
放射線医学検査の読影の間に前記一つまたは複数のユーザー入力装置を介して受領されたユーザー入力の活動ログを記録する段階とを含む、ことと；
患者の現在の放射線医学検査の放射線科医による読影を行なうために前記ユーザー・インターフェースを提供している間に、関連する過去の放射線医学検査勧告プロセスを実行することであって：
当該放射線科医によって行なわれた読影の間に当該放射線科医が過去の放射線医学検査を開き、閲覧することを記録する前記活動ログの内容に基づいて、前記放射線医学検査アーカイブに記憶されている当該患者の少なくとも一つの以前に読影された放射線医学検査を、当該患者の前記現在の放射線医学検査に関連するものとして識別する段階；および
前記少なくとも一つの、関連する、以前に検査された放射線医学検査の指標を前記ディスプレイに表示する段階を含む、こと
とを含む、非一時的なコンピュータ可読媒体。
【請求項９】
前記識別する段階が：
ある特徴の集合について、前記現在の放射線医学検査の特徴値と一致する特徴値を有する前記放射線科医によって読影された等価な放射線医学検査を同定し；
前記等価な放射線医学検査を読影している間に、前記放射線科医によって前記活動ログ記録が開かれて閲覧された参照放射線医学検査を同定し；
前記患者の前記少なくとも一つの以前に読影された放射線医学検査を、前記患者の前記少なくとも一つの以前に読影された放射線医学検査の特徴値と前記参照放射線医学検査の特徴値との類似性に基づいて同定することを含む、
請求項８記載の非一時的なコンピュータ可読媒体。
【請求項１０】
前記特徴の集合が、画像モダリティー、身体部分、身体セクション、主要身体構造、検査の理由、手順の記述および検査日のうちの少なくとも三つを含む、請求項９記載の非一時的なコンピュータ可読媒体。
【請求項１１】
前記特徴の集合が、少なくとも画像モダリティー、身体部分および検査の理由を含む、請求項９記載の非一時的なコンピュータ可読媒体。
【請求項１２】
参照放射線医学検査の同定がさらに：
それぞれの参照放射線医学検査に対して、その参照放射線医学検査を開いて閲覧することに関係する前記活動ログの内容に基づいて、関連性メトリックを割り当てることを含み、該関連性メトリックは：閲覧された画像の数；以前の検査の諸画像の全閲覧時間；全スクロール距離、マウス・クリックの総数および以前の検査が開いていた総時間のうちの少なくとも二つを含む、
請求項９または１０記載の非一時的なコンピュータ可読媒体。
【請求項１３】
前記患者の前記少なくとも一つの以前に読影された放射線医学検査を、特徴値の類似性に基づいて同定することが：
前記抽出された特徴および前記関連性メトリックを使ってモデルをトレーニングし；
前記モデルを、前記患者の前記少なくとも一つの以前に読影された放射線医学検査の前記特徴値に適用して、前記患者の前記現在の放射線医学検査に対する関連性を同定することを含む、
請求項９ないし１１のうちいずれか一項記載の非一時的なコンピュータ可読媒体。
【請求項１４】
前記患者の前記少なくとも一つの以前に読影された放射線医学検査の、前記患者の前記現在の放射線医学検査に対する前記の決定された関連性に基づいて、前記モデルを更新することをさらに含む、
請求項１３記載の非一時的なコンピュータ可読媒体。
【請求項１５】
放射線医学検査アーカイブに記憶されている放射線医学検査にアクセスするよう接続されたコンピュータを有する放射線医学ワークステーションであって、前記コンピュータはディスプレイと、一つまたは複数のユーザー入力装置と、少なくとも一つのプロセッサとを含み、前記少なくとも一つのプロセッサは：
放射線医学検査の読影を行なうためのユーザー・インターフェースを提供することであって：
読影中の現在の放射線医学検査の画像を前記ディスプレイに表示する段階；
前記一つまたは複数のユーザー入力装置を介してユーザー入力を受領し、前記ユーザー入力に基づいて、画像の前記表示を操作し、読影中に過去の放射線医学検査を開いて閲覧し、読影を要約する放射線医学レポートを受け取り、該放射線医学レポートを前記放射線医学検査アーカイブに記憶するよう動作する段階；および
放射線医学検査の読影の間に前記一つまたは複数のユーザー入力装置を介して受領されたユーザー入力の活動ログを記録する段階とを含む、ことと；
患者の現在の放射線医学検査の放射線科医による読影を行なうために前記ユーザー・インターフェースを提供している間に、関連する過去の放射線医学検査勧告プロセスを実行することであって：
当該放射線科医によって行なわれた読影の間に当該放射線科医が過去の放射線医学検査を開き、閲覧することを記録する前記活動ログの内容から導出される、放射線科医固有の関連性識別基準を使って、前記放射線医学検査アーカイブに記憶されている当該患者の少なくとも一つの以前に読影された放射線医学検査を、当該患者の前記現在の放射線医学検査に関連するものとして識別する段階であって、前記内容は：画像モダリティー、身体部分、身体セクション、主要身体構造、検査の理由、手順の記述および検査日のうちの少なくとも三つを含む特徴の集合を含む、段階；および
前記少なくとも一つの、関連する、以前に検査された放射線医学検査の指標を前記ディスプレイに表示する段階とを含む、こと
とを実行するよう前記コンピュータを動作させるようプログラムされている、放射線医学ワークステーション。
【請求項１６】
前記識別する段階が：
ある特徴の集合について、前記現在の放射線医学検査の特徴値と一致する特徴値を有する前記放射線科医によって読影された等価な放射線医学検査を同定し；
前記等価な放射線医学検査を読影している間に、前記放射線科医によって前記活動ログ記録が開かれて閲覧された参照放射線医学検査を同定し；
前記患者の前記少なくとも一つの以前に読影された放射線医学検査を、前記患者の前記少なくとも一つの以前に読影された放射線医学検査の特徴値と前記参照放射線医学検査の特徴値との類似性に基づいて同定することを含む、
請求項１５記載の放射線医学ワークステーション。
【請求項１７】
前記特徴の集合が、少なくとも画像モダリティー、身体部分および検査の理由を含む、請求項１６記載の放射線医学ワークステーション。
【請求項１８】
参照放射線医学検査の同定がさらに：
それぞれの参照放射線医学検査に対して、その参照放射線医学検査を開いて閲覧することに関係する前記活動ログの内容に基づいて、関連性メトリックを割り当てることを含み、該関連性メトリックは：閲覧された画像の数；以前の検査の諸画像の全閲覧時間；全スクロール距離、マウス・クリックの総数および以前の検査が開いていた総時間のうちの少なくとも二つを含む、
請求項１６記載の放射線医学ワークステーション。
【請求項１９】
前記患者の前記少なくとも一つの以前に読影された放射線医学検査を、特徴値の類似性に基づいて同定することが：
前記抽出された特徴および前記関連性メトリックを使ってモデルをトレーニングし；
前記モデルを、前記患者の前記少なくとも一つの以前に読影された放射線医学検査の前記特徴値に適用して、前記患者の前記現在の放射線医学検査に対する関連性を同定することを含む、
請求項１６ないし１７のうちいずれか一項記載の放射線医学ワークステーション。
【請求項２０】
前記少なくとも一つのプロセッサがさらに、
前記患者の前記少なくとも一つの以前に読影された放射線医学検査の、前記患者の前記現在の放射線医学検査に対する前記の決定された関連性に基づいて、前記モデルを更新するようプログラムされている、
請求項９記載の放射線医学ワークステーション。
【発明の詳細な説明】
【技術分野】
【０００１】
下記は、放射線医学の技術、放射線医学報告の技術、医療放射線医学の技術ならびに関連技術に関する。
【背景技術】
【０００２】
放射線科医は高度に専門的な医療専門家である。放射線科医は、典型的には、画像アーカイブおよび通信システム（Picture  Archiving  and  Communication  System、「PACS」）および／または撮像システム・ワークステーションを用いて、放射線医学検査〔ラディオロジー・スタディー〕（radiology  study）をレビューする。典型的には、放射線科医は高い作業フロー・スループットを維持することを期待され、一部の、より複雑な検査はより多くの時間を要するが、放射線科医は完全な放射線医学検査を数分で読むことが期待される。効率が望まれるが、一つ一つの放射線医学読影は包括的で正確であるべきである。特に、放射線科医は、撮像対象についての以前の放射線医学読影が利用可能であり、関連している場合、そのような以前の放射線医学読影を参照することが期待される。
【０００３】
典型的な放射線医学読影セッション中に、現在の放射線医学検査をブラウズしながら、放射線科医は同じ患者の以前の放射線医学検査をナビゲートすることがある。これは、次のようないくつかの理由のためでありうる：１）現在の放射線医学検査が、標的となる知見が視覚化されるのに十分な解像度を提供していない、２）現在の放射線医学検査が、関心のある解剖構造／知見をカバーしていない、または視野が関心のある知見（たとえば偶発的な知見）を部分的に示している、３）放射線科医が、比較、差分および／または補完的情報を集めるために、現在の放射線医学検査においてなされた観察を以前の関連する放射線医学検査と比較することに関心がある、など。たとえば、放射線科医が胸部CT画像を読み取っている間、放射線科医はまた、肺における結節の成長を見るために、以前の胸部CT画像（利用可能であれば）を見ることを望むことがあり、あるいは処置に対する機能的応答を見るために、同じ被験体の以前のPET画像を見ることを望むことがありうる。
【０００４】
各放射線科医は、最も関連性のある以前の放射線医学検査を判別する独自のアプローチをもつことがある。これらの選好は、多数の個別的要因に依存する。たとえば、MRI撮像検査の読影経験が豊富な放射線科医は、CTまたは他の非MRI撮像検査の読影時に、以前のMRI検査（利用可能であれば）を参照する傾向があることがある一方、MRIの読影経験がそれほど多くない放射線科医は、密接に関連しているのでない限り、以前のMRI検査を参照する可能性は低いことがありうる。同様に、ある身体部分の放射線医学撮像検査（radiology  imaging  study）を読影するとき、ある放射線科医は、近傍の身体部分の以前の検査が有用な代替的ビューを提供することを見出しうる一方、他の放射線科医は該他の検査はほとんど価値がないことを見出すことがありうる。実際上、ほとんどの放射線医学読影ツールは、関連する過去の放射線医学検査を識別する際にほとんどまたは全く助けにならない。たとえば、ツールは、主としてDICOMメタデータ（DICOMヘッダ内）から、同じ撮像モダリティーを使って同じの身体部分を撮像したものとして、関連する可能性のある以前の検査を識別することがある。人為的ミスのような何らかの理由で、そのような情報が不正確であるまたは利用可能でない場合には、関連する事前の判別の結果は無効であろう。そのような問題の非常に劇的な欠点は、放射線科医が別の放射線医学検査をオーダーする可能性があることであり、これは過去に患者から同様の放射線医学検査が取得されている可能性があるので、不必要であることがありうる。そのような非効率性は、各症例を読むのに費やされる時間と診断の正確さという点で放射線医学の作業フローに劇的に影響する（たとえば非特許文献１参照）。
【先行技術文献】
【非特許文献】
【０００５】
【非特許文献１】Doshi  et  al.、"Strategies  for  Avoiding  Recommendations  for  Additional  Imaging  through  a  Comprehensive  Comparison  with  Prior  Studies"、J  Am  Coll  Radiol  2015;  12:657-663)
【発明の概要】
【発明が解決しようとする課題】
【０００６】
下記は、上記の問題およびその他を克服する新しい、改善された装置および方法を提供する。
【課題を解決するための手段】
【０００７】
ある側面によれば、放射線医学ワークステーションが、放射線医学検査アーカイブに記憶された放射線医学検査にアクセスするために接続されたコンピュータを含む。コンピュータは、ディスプレイと、一つまたは複数のユーザー入力装置と、少なくとも一つのプロセッサとを含む。前記少なくとも一つのプロセスは：放射線医学検査の読影を行なうためのユーザー・インターフェースを提供することであって：    読影中の現在の放射線医学検査の画像を前記ディスプレイに表示する段階；    前記一つまたは複数のユーザー入力装置を介してユーザー入力を受領し、前記ユーザー入力に基づいて、画像の前記表示を操作し、読影中に過去の放射線医学検査を開いて閲覧し、読影を要約する放射線医学レポートを受け取り、該放射線医学レポートを前記放射線医学検査アーカイブに記憶するよう動作する段階；および    放射線医学検査の読影の間に前記一つまたは複数のユーザー入力装置を介して受領されたユーザー入力の活動ログを記録する段階とを含む、ことと；  患者の現在の放射線医学検査の放射線科医による読影を行なうために前記ユーザー・インターフェースを提供している間に、関連する過去の放射線医学検査勧告プロセスを実行することであって：  当該放射線科医によって行なわれる読影の間に当該放射線科医が過去の放射線医学検査を開き、閲覧することを記録する前記活動ログの内容から導出される、放射線科医固有の関連性識別基準を使って、前記放射線医学検査アーカイブに記憶されている当該患者の少なくとも一つの以前に読影された放射線医学検査を、当該患者の前記現在の放射線医学検査に関連するものとして識別する段階；および  前記少なくとも一つの、関連する、以前に検査された放射線医学検査の指標を前記ディスプレイに表示する段階とを含む、こととを実行するよう前記コンピュータを動作させるようプログラムされている。
【０００８】
もう一つの側面によれば、画像取得方法を実行するよう少なくとも一つのプロセッサを制御するためのソフトウェアを担持する非一時的なコンピュータ可読媒体が提供される。前記方法は：放射線医学検査の読影を行なうためのユーザー・インターフェースを提供することであって：    読影中の現在の放射線医学検査の画像を前記ディスプレイに表示する段階；    前記一つまたは複数のユーザー入力装置を介してユーザー入力を受領し、前記ユーザー入力に基づいて、画像の前記表示を操作し、読影中に過去の放射線医学検査を開いて閲覧し、読影を要約する放射線医学レポートを受け取り、該放射線医学レポートを前記放射線医学検査アーカイブに記憶するよう動作する段階；および    放射線医学検査の読影の間に前記一つまたは複数のユーザー入力装置を介して受領されたユーザー入力の活動ログを記録する段階とを含む、ことと；  患者の現在の放射線医学検査の放射線科医による読影を行なうために前記ユーザー・インターフェースを提供している間に、関連する過去の放射線医学検査勧告プロセスを実行することであって：  当該放射線科医によって行なわれた読影の間に当該放射線科医が過去の放射線医学検査を開き、閲覧することを記録する前記活動ログの内容に基づいて、前記放射線医学検査アーカイブに記憶されている当該患者の少なくとも一つの以前に読影された放射線医学検査を、当該患者の前記現在の放射線医学検査に関連するものとして識別する段階；および
前記少なくとも一つの、関連する、以前に検査された放射線医学検査の指標を前記ディスプレイに表示する段階を含む、こととを含む。
【０００９】
もう一つの側面によれば、放射線医学検査アーカイブに記憶されている放射線医学検査にアクセスするよう接続されたコンピュータを含む放射線医学ワークステーション。前記コンピュータはディスプレイと、一つまたは複数のユーザー入力装置と、少なくとも一つのプロセッサとを含む。前記少なくとも一つのプロセッサは：放射線医学検査の読影を行なうためのユーザー・インターフェースを提供することであって：    読影中の現在の放射線医学検査の画像を前記ディスプレイに表示する段階；    前記一つまたは複数のユーザー入力装置を介してユーザー入力を受領し、前記ユーザー入力に基づいて、画像の前記表示を操作し、読影中に過去の放射線医学検査を開いて閲覧し、読影を要約する放射線医学レポートを受け取り、該放射線医学レポートを前記放射線医学検査アーカイブに記憶するよう動作する段階；および    放射線医学検査の読影の間に前記一つまたは複数のユーザー入力装置を介して受領されたユーザー入力の活動ログを記録する段階とを含む、ことと；  患者の現在の放射線医学検査の放射線科医による読影を行なうために前記ユーザー・インターフェースを提供している間に、関連する過去の放射線医学検査勧告プロセスを実行することであって：  当該放射線科医によって行なわれた読影の間に当該放射線科医が過去の放射線医学検査を開き、閲覧することを記録する前記活動ログの内容から導出される、放射線科医固有の関連性識別基準を使って、前記放射線医学検査アーカイブに記憶されている当該患者の少なくとも一つの以前に読影された放射線医学検査を、当該患者の前記現在の放射線医学検査に関連するものとして識別する段階であって、前記内容は：画像モダリティー、身体部分、身体セクション、主要身体構造、検査の理由、手順の記述および検査日のうちの少なくとも三つを含む特徴の集合を含む、段階；および  前記少なくとも一つの、関連する、以前に検査された放射線医学検査の指標を前記ディスプレイに表示する段階とを含む、こととを実行するよう前記コンピュータを動作させるようプログラムされている。
【００１０】
一つの利点は、より効率的な放射線医学ワークステーションを提供することにある。
【００１１】
別の利点は、放射線医学ワークステーションに対する帯域幅要件の低減にある。
【００１２】
別の利点は、より速い動作の放射線医学ワークステーションを提供することにある。
【００１３】
別の利点は、改善されたユーザー・インターフェースを備えた放射線医学ワークステーションを提供することにある。
【００１４】
別の利点は、複数の放射線医学検査の間の関連性を判別するために、関連する特徴を抽出することにある。
【００１５】
別の利点は、使用者に単一の患者のより多くの放射線医学検査へのアクセスを提供することにある。
【００１６】
別の利点は、ユーザーの検索選好に合わせて更新されるモデルを提供することにある。
【００１７】
本開示のさらなる利点は、以下の詳細な説明を読み、理解すれば、当業者には理解されるであろう。任意の所与の実施形態は、前述の利点のいずれも達成しないこともあれば、一つ、二つ以上または全部を達成することもあり、および／または他の利点を達成することもあることが理解されるであろう。
【図面の簡単な説明】
【００１８】
本開示は、さまざまなコンポーネントおよびコンポーネントの配置ならびにさまざまなステップおよびステップの配置の形を取ってもよい。図面は、好ましい実施形態を例解する目的のみのためのものであり、本開示を限定するものと解釈されるべきではない。
【図１】放射線医学ワークステーションを示す。
【図２】図１の放射線医学ワークステーションによって実行される、関連する以前の放射線医学検査の識別を実装する例示的な方法を示すフローチャートを示す。
【図３】図１の装置の例示的な動作を示す。
【図４】図１の装置のもう一つの例示的な動作を示す。
【図５】図１の装置のもう一つの例示的な動作を示す。
【発明を実施するための形態】
【００１９】
下記は、概括的には、改善された放射線医学読影環境に向けられ、これは、たとえば、Philips  Intellispace  PACS統合画像および情報作業フロー・システムに組み込まれることができ、またはより一般には、放射線医学検査の読影を実行するための適切なハードウェア（たとえば、高解像度ディスプレイ、PACSまたは他の放射線医学検査アーカイブとの電子データ・ネットワーク接続など）を有する任意の放射線医学ワークステーションに組み込まれることができる。放射線医学読影を行なう際、放射線科医は典型的には、同じ患者の以前の放射線医学検査が利用可能であり、該放射線科医によって関連があると見なされる場合、これをレビューする。いくつかの一般的な規則（すなわち、解剖構造およびモダリティーの正確な一致）には従うものの、「関連がある」以前の放射線医学検査の選択は、放射線科医によって異なる。PACSまたは他の放射線医学検査アーカイブとの電子データ接続を通じて高解像度の放射線医学画像を伝送することはかなりの帯域幅を使用するため、レビューのための放射線医学検査を取得することは帯域幅集約的である。ネットワーク上のデータ負荷の増大に加えて、以前の撮像検査の取り寄せは、放射線医学ワークステーションの動作を遅くする。従って、関連する以前の検査の、よりターゲットを絞った同定および取り出しによって、放射線医学ワークステーションの物理的な動作の改善（たとえば、帯域幅の縮小、より高速な実行）が達成可能である。
【００２０】
下記は、医療被験者の関連する過去の放射線医学検査が、ターゲットを絞った仕方で取得されうる改善を開示する。開示されるアプローチは、撮像検査（imaging  study）を開く／閉じること、マウス／キーボード対話、対話の継続時間などといった、放射線医学読影の際の放射線科医の活動を（アクティブ化されていれば）追跡するいくつかの既存の放射線医学ワークステーションの活動ログ機能を利用する。活動ログを解析して、どの過去の放射線医学検査が（最も）関連があるかについての個々の放射線科医の選好を判別し、この情報が、現在の放射線医学読影の間に、レビューのために（最も）関連のある過去の検査を提案するために使われる。いくつかの実施形態では、同定された最も関連性のある検査は、バックグラウンド・プロセスとして放射線医学ワークステーションに取り出され、それにより、放射線科医が以前の放射線医学検査を開くことを選択する際の遅延を短縮する。特定の放射線科医および現在の放射線医学読影タスクの特定の特徴にターゲットを絞った予測を用いて最も関連性の高い以前の検査を予測することにより、バックグラウンド取得プロセスにおいて「正しい」以前の放射線医学検査が提案され、（いくつかの実施形態では）事前に取得される可能性が実質的に高くなり、それにより、放射線医学ワークステーションの有効帯域幅および動作速度が増大する。
【００２１】
ある例示的実施形態では、各放射線医学検査（現在のまたは以前のもの）は、放射線医学モダリティー、身体部分、検査の理由、手順の記述および検査日などのいくつかの関連する特徴によってラベル付けされる。これらの特徴は典型的には、PACSメタデータとしてすでに記憶されている。放射線科医は一般に高い作業負荷を担い、特徴の集合における関連する特徴の数は比較的少ないので、特定の放射線科医の活動ログ・データは、現在読み取られている検査と同じ関連する特徴の集合を有する検査についての少なくとも一つ、可能性としては多数の過去の読影を含む可能性が高いと、一般に想定することができる。これらの以前の読影の間にその放射線科医によってレビューされた以前の放射線医学検査が、好ましくは関連性メトリックと一緒に、活動ログ・データから同定される。これはたとえば、以前の検査の閲覧された画像の数および／または諸画像の全閲覧時間、ユーザー対話メトリック（たとえば全スクロール距離、マウス・クリックの総数、以前の検査が開かれていた全時間など）などのログ・データに基づく。以前の読影（単数または複数）にとって（最も）関連があったこれらの以前の検査の特徴集合が、現在の検査と同じ患者についての以前の諸検査の諸特徴集合と比較され、それにより、過去の患者の（最も）関連する以前の諸検査が識別される。
【００２２】
いくつかの実施形態では、適応学習が用いられる。すなわち、解析されるログ・データは、ログ・データが収集されるにつれてリアルタイムで更新される。もう一つの変形例として、以前の読影の数が少なすぎる（またはゼロである）場合は、緩和された特徴集合を使って十分なログ・データが取得されるまで、マッチングのために使われる特徴の数が緩和されることができる（たとえば、手順の記述および／または検査日が省略されてもよい）。これは、限られたログ履歴を有する比較的新米の放射線科医のために、または通常でない（少なくともその放射線科医にとって「通常でない」）検査を実行する放射線科医のために提案を提供するときに特に有用でありうる。
【００２３】
図１を参照するに、放射線医学ワークステーション１０のある実施形態が記述される。ワークステーション１０は、たとえば、デスクトップ・コンピュータ、ネットワーク・サーバーに接続された「ダム」端末、またはサーバーからデータを取得するための他の任意の好適なコンピューティング装置として実装さてもよい。ワークステーション１０は、少なくとも一つのディスプレイ・コンポーネント１４、少なくとも一つのユーザー入力コンポーネント１６、電子データ通信リンク１８、ピクチャー・アーカイブおよび通信システム（PACS）もしくは他の任意の好適なデータベース（たとえば電子医療記録（EMR）データベース）などの電子データベースもしくはアーカイブ２０および本稿に開示される放射線医学報告機能を実行するようプログラムされた少なくとも一つの電子プロセッサ２２のような典型的なコンポーネントを備えたコンピュータ１２を含む。前記少なくとも一つのディスプレイ１４は、一つまたは複数の放射線医学検査を表示するよう構成され、好ましくは、高解像度放射線医学画像を表示するための高解像度ディスプレイである。たとえば、現在の検査が第一のディスプレイに表示されることができ、アーカイブ２０から取り出された以前に検査された放射線医学検査が第二のディスプレイに表示されることができる。いくつかの例では、ディスプレイ１４は、タッチ感応ディスプレイであることができる。ユーザー入力コンポーネント１６は、前記画像のうちの少なくとも一つを選択するよう構成される。場合によっては、ユーザー入力コンポーネント１６は、マウス、キーボード、スタイラス、前述のタッチ感応ディスプレイ等であってもよい。加えて、ユーザー入力コンポーネント１６は、マイクロフォンであってもよい（すなわち、ユーザーが放射線医学レポートの少なくとも一つに内容を口述できるようにする）。通信リンク１８は、無線または有線の通信リンク（有線または無線のイーサネット（登録商標）リンクおよび／またはWiFiリンクなど）、たとえば病院ネットワークであってもよく、放射線医学ワークステーション１０がPACS  ２０から検査（a  study）を構成する放射線医学レポートのスタックを検索できるようにする。加えて、PACSまたは他の放射線医学検査アーカイブ２０は、放射線科医が放射線医学知見または潜在的な臨床的意義を有する他の所見を入力するデータ入力フィールド（可能性としては自由形式テキストの入力フィールドを含む）を含む複数の放射線医学レポートを記憶するよう構成される。
【００２４】
前記少なくとも一つのプロセッサ２２は、それを介して放射線科医が読影中の現在の放射線医学検査（radiology  study）のディスプレイ１４上の諸放射線医学画像（radiology  images）を表示させることができるユーザー・インターフェースを提供するようプログラムされる。該ユーザー・インターフェースは、前記一つまたは複数のユーザー入力装置１６を介してユーザー入力を受け取り、画像の表示を操作し、読影中に過去の放射線医学検査を開いて閲覧し、読影を要約する放射線医学レポートを受け取り、完成した放射線医学レポートを放射線医学検査アーカイブ２０に記憶するようユーザー入力に基づいて動作する。放射線医学ワークステーションは、PACS  ２０内の活動ログ２０Ａ（図示）において、またはPACSとは別個の活動ログとして、放射線科医の活動を記録する機能をも含む。活動ログ２０Ａは、たとえば、キーストローク、マウスアクションまたは他の生のユーザー入力を記憶することおよび／または現在のもしくは以前の放射線医学検査を開くこと、放射線医学レポートを記憶することなどのような放射線科医によって実行される、より高レベルの操作を記憶することによって、放射線科医の活動を記録する。活動ログ２０Ａは、個々の放射線科医の生産性を評価するためおよび／またはさまざまな目的のための放射線科医の活動の監査可能な記録を提供するためなど、さまざまな目的のために使用されてもよい。
【００２５】
前記少なくとも一つのプロセッサ２２は、下記でより詳細に述べるように、放射線医学ワークステーション１０に、関連する以前の放射線医学検査の判別方法を実行させるようにさらにプログラムされる。該方法は、活動ログ２０Ａに記録された個々の放射線科医の活動を利用して、どの以前の放射線医学検査が最も関連しているかについての個々の放射線科医の選好の、ターゲットを絞った識別を提供する。
【００２６】
いくつかの実施形態では、コンピュータ１２は、PACSアーカイブ２０に記憶されている放射線医学検査被験体の一部（または全部）の複数の以前に検査された放射線医学検査を受け取るよう構成される。これらの検査は、撮像装置（図示せず）（たとえば、磁気共鳴装置、超音波装置、コンピュータ断層撮影装置、陽電子放出断層撮影装置、単一光子放出コンピュータ断層撮影装置など）からPACS  ２０にあらかじめアップロードされたものである。さらに、コンピュータ１２は、放射線医学デバイスから「現在の」（すなわち、PACSアーカイブ２０に記憶されていない）少なくとも一つを受領するようにも構成される。
【００２７】
図１を引き続き参照するに、ワークステーション１０の前記少なくとも一つのプロセッサ２２は、ワークステーション１０に、関連する以前の放射線医学検査の判別方法１００を実行させるようプログラムされる。方法１００は、概括的には、（１）放射線医学の読影を行なうためのユーザー・インターフェース２４を提供すること、および（２）該ユーザー・インターフェースを提供している間に、関連する過去の放射線医学検査勧告プロセスを実行することを含む、二つの動作において機能する。方法１００は、ユーザー・インターフェース２４を提供している間に：読影中の現在の放射線医学検査のディスプレイ１４上の画像を表示すること（１０２）；画像の表示を操作し、読影中に過去の放射線医学検査を開いて閲覧し、読影を要約する放射線医学レポートを受け取り、該放射線医学レポートを放射線医学検査アーカイブに記憶するようユーザー入力に基づいて動作し（１０４）；放射線医学検査の読影の間に前記一つまたは複数のユーザー入力装置を介して受領された活動ログ・ユーザー入力を活動ログ２０Ａに記録すること（１０６）を含む。加えて、方法１００は、患者の現在の放射線医学検査の放射線科医による読影を実行するためのユーザー・インターフェースを提供している間に、関連する過去の放射線医学検査勧告プロセスを実行することを含み、それは：放射線医学検査アーカイブ（たとえばPACS  ２０）に記憶されている当該患者の少なくとも一つの以前に読まれた放射線医学検査を、放射線科医によって行なわれた読影の間に放射線科医が過去の放射線医学検査を開き、閲覧することを記録する活動ログ２０Ａの内容から導出される、放射線科医固有の関連性識別基準を使って、当該患者の現在の放射線医学検査に関連するものとして同定し（１０８）；（段階１０８で判別された）前記少なくとも一つの関連する、以前に検査された放射線医学検査の指標をディスプレイ１４上に表示する（１１０）ことを含む。任意的に、段階１０８で最も関連性が高いと判断された以前の検査は、段階１０２、１０４、１０６に従って放射線医が放射線医学読影を実行し続ける際にバックグラウンドで実行されるバックグラウンド検索プロセスとして、段階１１２において、PACSまたは他の放射線医学検査アーカイブ２０からプリフェッチされる。
【００２８】
１０２では、現在の放射線医学検査（radiology  study）の諸画像（images）が、ワークステーション１０のディスプレイ１４上で放射線科医によって読影される。たとえば、前記少なくとも一つのプロセッサ２２は、撮像装置（図示せず）から直接、またはアーカイブ２０から画像を受領することによって、放射線医学検査（図示せず）の選択された画像（単数または複数）を取り出し、それを前記少なくとも一つのディスプレイ１４上に表示するようにプログラムされる。
【００２９】
１０４では、ユーザー入力装置１６からユーザー入力が受領され、ユーザー入力は：（１）画像の表示を操作する；（２）読影中に過去の放射線医学検査を開き、閲覧する；（３）読影を要約する放射線医学レポートを受け取る；および（４）放射線医学レポートを放射線医学検査アーカイブ２０に記憶するために、前記少なくとも一つのプロセッサ２２によって使用される。たとえば、ユーザーは、一つまたは複数の画像を選択してもよく（たとえば、ユーザー入力コンポーネント１６（すなわちマウス）でそれをクリックするかポイントすることによって、ユーザー入力コンポーネント１６（すなわちキーボード）でのテキスト入力を使うことによって、またはユーザー入力コンポーネント（すなわちマイクロフォン）で放射線医学レポートを選択する口述を使うことによって）、あるいは白紙の状態からまたはより一般的にはレポート・テンプレートから出発して、新規レポートを作成することを選択してもよい。ひとたびレポートが選択または作成されると、レポート（これまでに入力された内容を含む）は、画像とともに表示コンポーネント１４（または別個の表示コンポーネント）に表示されることができる。同様に、ユーザーは、読影中に過去の放射線医学検査を開き、閲覧するために、クリック／タイプ／口述／等することができる。加えて、ユーザー入力は、検査の要約を含む放射線医学レポートを受領するために使用されることができ、これは、いくつかの例では、アーカイブ２０に保存されてもよい。
【００３０】
１０６では、放射線医学検査の読影中の受領されたユーザー入力の活動ログが記録される。たとえば、前記少なくとも一つのプロセッサ２２は、ユーザー入力の活動ログ、すなわち放射線医学レポートのクリック／タイプ／口述を収集するようにプログラムされる。そのような活動ログ・ファイルは、読影セッション中に生成および記憶され、読影ツール・ソフトウェアとのすべての機能性およびユーザー対話を捕捉する。機能性および対話の例は、撮像検査を開くことおよびタイムスタンプ付けされる仕方でのマウスおよびキーボード対話である。次いで、活動ログは現在の放射線医学検査と関連付けられ、PACSアーカイブ２０に保存される。
【００３１】
１０８では、ひとたび活動ログが受領／記憶されると、放射線医学検査アーカイブに記憶されている当該患者の少なくとも一つの以前に読影された放射線医学検査が、放射線科医によって行なわれる読影の間に放射線科医が過去の放射線医学検査を開き、閲覧することを記録する活動ログの内容から導出される、放射線科医固有の関連性識別基準を使って、当該患者の現在の放射線医学検査に関連するものとして同定される。１０８の動作は、特に図２を参照して、下記でより詳細に記述される。
【００３２】
１１０では、前記少なくとも一つの関連する、以前に検査された放射線医学検査の指標がディスプレイ１４に表示される。たとえば、以前に検査された放射線医学検査のリストがディスプレイ１４に表示されることができ、関連するものとして識別された検査がたとえばハイライト、異なるフォント色、ボーディング（boding）、イタリック、下線などによって同定されることができる。別の例では、関連する検査のみのリストが表示されることができる。
【００３３】
任意的な段階１１２では、関連する以前の放射線医学検査が、通信リンク１８を介してPACS  ２０から放射線医学ワークステーション１２に事前取得される。事前取得１１２は、動作１０２、１０４、１０６に従って放射線科医が現在の放射線検査の読影を実行する際のバックグラウンド・プロセスとして実行される。「バックグラウンド・プロセス」とは、空いているプロセッサ時間および通信リンク１８上のオープンなバンド幅を用いて、放射線科医の介入なしに（あるいは可能性としては放射線科医が知ることさえなく）事前取得１１２が実行されることを意味する。たとえば、プロセッサ２２は、ユーザーが高解像度画像ディスプレイのサイズ変更またはその他の操作などの操作を実行するときに計算集約的な活動を実行するが、プロセッサ２２は、放射線科医が能動的に操作することなく、表示された画像を閲覧している時など、他の時は、アイドル状態またはアイドル状態に近い状態であることがある。これらのアイドルなプロセッサ期間が、事前取得１１２を実行するために好適に使用される。同様に、事前取得は、通信リンク１８上のデータ・トラフィックが少ない、たとえばユーザーが現在、現在の検査の画像を取得していない時間区間において実行されることができる。事前取得段階１１２の作用により、放射線科医がユーザー入力装置（単数または複数）１８を操作して関連する以前の放射線医学検査を開くとき、それは、事前取得段階１１２によってワークステーション１２上にすでにロードされており、よって、迅速に（可能性としては放射線科医から見れば瞬時に）開かれることができる。対照的に、段階１１２なしでは、高解像度画像を格納する大きなデータ・ファイルが通信リンク１８を介してワークステーション１２に取り出されるので、関連する以前の放射線医学検査を開くことは実質的に遅延される。段階１０８が、二つ以上の関連する以前の放射線医学検査を識別する場合には、事前取得は、関連性によって順序付けられることができ（段階１０８においてまず、関連性が最も高いランク付けされた以前の検査をダウンロードする）、および／または事前取得がインターリーブされることができる（たとえば、二つ以上の以前の検査が複数のダウンロードとして同時に事前取得されることができる）。
【００３４】
事前取得段階１１２は、通信リンク１８の実質的に改善された有効帯域幅を提供し、放射線医学ワークステーション１２の動作効率を実質的に改善するが、これは、「正しい」事前の検査が関連性があるものとして識別され、事前に取得される場合にのみであることは理解されるであろう。段階１０８は、相乗的に、読影を実施する特定の放射線科医にとって最も関連があると思われる、現在読影されている放射線医学検査と同じ被験者の以前の放射線医学検査を同定するための、原理に基づいた、ターゲットを絞ったツールを提供しする。このようにして、「正しい」過去の検査が実際に事前取得される可能性が大幅に増大する。
【００３５】
前述のように、事前取得段階１０８は任意的である。たとえそれが省略されたとしても、放射線医学ワークステーション１０の動作効率および通信リンク１８の有効帯域幅は、表示段階１１０において最も関連性のある以前の検査の、ターゲットを絞られたリストを放射線科医に提供することによって、実質的に増大する。このようにして、放射線科医が、無関係な、またはそれほど関連のない過去の放射線医学検査を取得する可能性が低くなり、よって、これらの無関係なまたはそれほど関連のない過去の検査の取得およびレビューに関わる無駄なデータ伝送および時間をなくすことにより、通信リンク１８上のデータ負荷を低減し、ワークステーション１２の動作効率を高める。
【００３６】
ここで図２を参照して、患者の関連する、以前に同定された放射線医学検査の識別（すなわち、図１の段階１０８）が、より詳細に記述される。ワークステーション１０の前記少なくとも一つのプロセッサ２２は、ワークステーション１０に、関連する、先に特定された放射線医学識別方法１０８を実行させるようプログラムされる。方法１０８は：患者の少なくとも一つの以前に同定された放射線医学検査を取得し（２０２）；ある特徴の集合について、現在の放射線医学検査の特徴値と一致する特徴値を有する、当該放射線科医によって読み取られた等価な放射線医学検査を識別し（２０４）；該等価な放射線医学検査を読影している間に、その放射線科医によって活動ログ記録が開かれて閲覧された参照放射線医学検査を識別し（２０６）；患者の前記少なくとも一つの以前に読み取られた放射線医学検査の特徴値と参照放射線医学検査の特徴値との類似性に基づいて患者の前記少なくとも一つの以前に読み取られた放射線医学検査を識別し（２０８）；任意的に、少なくとも一つの関連する、以前にレビューされた放射線医学検査を同定するためのモデルを使用する（２１０）ことを含む。
【００３７】
２０２では、患者の少なくとも一つの以前に同定された放射線医学検査のメタデータが取得される。たとえば、一つまたは複数の検査のDICOMメタデータが、PACSアーカイブ２０から取得されることができる。さらに、現在の放射線医学検査の読影を実行している放射線科医についての活動ログが、PACS活動ログ２０Ａから取得される。
【００３８】
２０４では、ある特徴の集合について、現在の放射線医学検査の特徴値と一致する特徴値を有する放射線科医によって読影された等価な放射線医学検査が識別される。たとえば、特徴の集合は、画像モダリティー、身体部分、身体セクション、主要身体構造、検査の理由、手順の記述、検査日などを含むことができる。いくつかの例では、特徴の集合は、これらの特徴のうちの少なくとも三つを含むことができる。他の例では、特徴の集合は、少なくとも画像モダリティー、身体部分および検査の理由を含むことが要求されることができる。前記少なくとも一つのプロセッサ２２は、以前に同定された検査を、現在の検査と共通の特徴を有するものとして識別するようにプログラムされる。次いで、これらの特徴は、前記少なくとも一つのプロセッサ２２によって抽出される。別の例では、画像データ（たとえばDICOM画像データ）は、画像処理技法を使って処理されることができ、モダリティーおよび解剖構造などの検査についての情報を抽出することができる。
【００３９】
２０６では、等価な以前の放射線医学検査の読影についての活動ログ・データが処理され、等価な放射線医学検査の読影中に放射線科医が開いて閲覧した参照放射線医学検査が同定される。たとえば、前記少なくとも一つのプロセッサ２２は、それぞれの等価な以前の放射線検査の読影セッション中に開かれたすべての検査を決定するようプログラムされる。段階２０８では、前記少なくとも一つのプロセッサ２２は、参照放射線医学検査を開いて閲覧することに関係する活動ログの内容に基づいて、それぞれの参照放射線医学検査に対して関連性メトリックを割り当てるようプログラムされる。いくつかの例では、関連性メトリックは、閲覧される画像の数；以前の検査の諸画像の全閲覧時間；全スクロール距離、マウス・クリックの総数、以前の検査が開いていた総時間などの少なくとも一つの基準を含むことができる。いくつかの例では、関連性メトリックはこれらの基準の少なくとも二つを含むことができる。
【００４０】
２０８では、患者の前記少なくとも一つの以前に読影された放射線医学検査が、患者の前記少なくとも一つの以前に読影された放射線医学検査の特徴値と参照放射線医学検査の特徴値との類似性に基づいて識別される。たとえば、前記少なくとも一つのプロセッサ２２は、以前にレビューされた検査の抽出された特徴および関連性メトリックを、現在の検査の抽出された特徴および関連性メトリックと比較するようプログラムされる。最多数の抽出された特徴および最高の関連性メトリックをもつ以前にレビューされた検査が、現在の検査に関連があるとして識別される。
【００４１】
図３〜図５は、関連する、以前にレビューされた検査がどのように識別されるかのいくつかの例を示す。図３は、ユーザーが三つの異なる撮像検査を開き、読影セッションの終了までに、ユーザーが撮像検査１および２を閉じることがあるが、３は閉じないシナリオを示す。これは、検査３が、開かれている現在の検査と最も関連性がある理由と考えられる。このように、この関連性メトリックは、検査が開いているか閉じているかに基づく。
【００４２】
図４は、ユーザーが二つの異なる撮像検査（imaging  studies）１および２を開いてもよく、しばらく後に、ユーザーが両方の画像（images）を閉じてもよいが、図に示されるように、撮像検査は、撮像検査１よりも長く開いたままであり、これは、撮像検査２が、現在の開かれている撮像検査とより関連性があることの証拠とみなされる。
【００４３】
図５は、開かれている撮像試験のそれぞれとのユーザー対話の量に基づいて関連性が決定されるシナリオを示す。たとえば、ユーザーは、どの撮像試験が現在の撮像に関連していたかを判別するために、各画像上でのマウス・スクロール、マウス・クリックなどの量を測定することができる。
【００４４】
これらがログ・ファイルから抽出できる特徴のほんの数例にすぎないことが理解されるであろう。読影セッション中に開かれた各撮像検査に間接的にリンクされることのできる他の型の特徴も考えられる。そのような特徴も一緒に組み合わされることができる。
【００４５】
いくつかの実施形態では、２１０において、ひとたび以前にレビューされた撮像検査のうちの少なくとも一つが現在の放射線医学検査に関連するか否かが決定されると、分類器が、「関連性モデル」（すなわちクラスタリング・モデル）を構築するようトレーニングされることができる。そうするために、前記少なくとも一つのプロセッサ２２は、抽出された特徴および関連性メトリックを使ってモデルをトレーニングし、該モデルを患者の前記少なくとも一つの以前に読影された放射線医学検査の特徴値に適用して、患者の現在の放射線医学検査との関連性を識別するようプログラムされる。たとえば、少なくとも一対の撮像検査が、一意的な記述子（モダリティー、身体部分、検査の記述、検査の理由、知見および問題リストなど）とともにモデルに入力され、一対の撮像検査についての記述子に基づいて、対における二つの撮像検査の間で関連性の確率が決定される。種々の型の分類およびクラスタリング技法が考えられることが理解されるであろう。加えて、前記少なくとも一つのプロセッサ２２は、患者の前記少なくとも一つの以前に読影された放射線医学検査の、患者の現在の放射線医学検査への決定された関連性に基づいて、モデルを更新するようプログラムされる。有利には、更新されたトレーニングされたモデルは、現在のユーザーのプロファイルに最もよく適合する。
【００４６】
図１に戻って参照するに、ここでユーザー・インターフェース２４がより詳細に記述される。ユーザー・インターフェース２４は、ユーザー入力１６を介して、関連する以前の撮像検査をフェッチするためのユーザーの理由および対話を捕捉するように構成される。ユーザー選択の理由は、（１）画像のよりよい解像度（たとえば、CT  1mm間隔対CT  0.5mm間隔）、（２）患者のより多くのカバレッジを提供する画像、（３）二つの画像の比較（たとえば、CT時点1<->CT時点2）；および互いに補完する画像（たとえば、患者の同じ領域のCT画像対PET画像）を含むことができる。
【００４７】
ユーザーの選択に依存して、適切な機械学習方法およびRPMパッケージング・マネージャをフェッチするために異なる基準が考えられる。さらに、ユーザーは、その選好（たとえば、モダリティー、解剖構造、知見、時間など）に基づいて、関連性を決定するために使われる特徴に優先順位付けすることができる。さらに、インターフェース２４を利用して、ユーザーがシステムを「学習モード」で実行することを選択できるようにすることができる。学習モードの間、システムは自動出力（すなわち更新プロセスの間の）に対するユーザーの訂正に自動的に適応する。さらに、インターフェース２４の一部は、データ・ソース選択のために専用とすることができる。たとえば、ユーザーは、DICOMメタデータ、放射線医学レポート、EMRベースの問題リストなどから特徴が抽出されるべきかどうかを指定することができる。
【００４８】
本稿に記載されるさまざまな文書およびグラフィカル・ユーザー・インターフェース機能は、通信ネットワーク（たとえば、無線ネットワーク、ローカル・エリア・ネットワーク、ワイド・エリア・ネットワーク、パーソナル・エリア・ネットワーク、BLUETOOTH（登録商標）など）を介して、さまざまなコンポーネント１２、１４、１６、１８  ２０およびデータ処理コンポーネント２２に通信されることができることが理解されるであろう。
【００４９】
ワークステーション１０のさまざまなコンポーネント１２、１４、１６、１８、２０は、開示される動作を実行するようにファームウェアまたはソフトウェアによってプログラムされた少なくとも一つのマイクロプロセッサ２２を含むことができる。いくつかの実施形態では、マイクロプロセッサ２２は、さまざまなコンポーネント１２、１４、１６、１８、２０と一体であり、それにより、データ処理は、さまざまなコンポーネント１２、１４、１６、１８、２０によって直接実行される。他の実施形態では、マイクロプロセッサ２２は、前記さまざまなコンポーネントとは別個である。ワークステーション１０のデータ処理コンポーネント２２は、開示される動作を実装するために、（たとえば上述のような）マイクロプロセッサによって読み取り可能および実行可能な命令を記憶する非一時的な記憶媒体として実装されてもよい。非一時的記憶媒体は、たとえば、リードオンリーメモリ（ROM）、プログラマブルリードオンリーメモリ（PROM）、フラッシュメモリまたはさまざまなコンポーネント１２、１４、１６、１８、２０およびデータ処理コンポーネント２２のためのファームウェアの他のリポジトリを含んでいてもよい。追加的または代替的に、非一時的な記憶媒体は、コンピュータハードドライブ（コンピュータ実装される実施形態に好適）、光ディスク（たとえば、そのようなコンピュータへのインストール用）、さまざまなコンポーネント１２、１４、１６、１８、２０、データ処理コンポーネント２２またはコンピュータが、インターネットまたは他の電子データ・ネットワークなどを介して前記デバイスソフトウェアまたはファームウェアをダウンロードできるネットワーク・サーバー・データ記憶装置（たとえばRAIDアレイ）を含んでいてもよい。
【００５０】
本開示は、好ましい実施形態を参照して記述してきた。前述の詳細な説明を読み、理解すれば、他の者に修正および変更が思いつくことがありうる。本開示は、添付の特許請求の範囲またはその等価物の範囲内にはいる限り、そのようなすべての修正および変更を含むものと解釈されることが意図される。
【図１】
2019537114.tif 000003
【図２】
2019537114.tif 000004
【図３】
2019537114.tif 000005
【図４】
2019537114.tif 000006
【図５】
2019537114.tif 000007
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
放射線医学検査アーカイブに記憶されている放射線医学検査にアクセスするよう接続されたコンピュータを有する放射線医学ワークステーションであって、前記コンピュータはディスプレイと、一つまたは複数のユーザー入力装置と、少なくとも一つのプロセッサとを含み、前記少なくとも一つのプロセッサは：
放射線医学検査の読影を行なうためのユーザー・インターフェースを提供することであって：
読影中の現在の放射線医学検査の画像を前記ディスプレイに表示する段階；
前記一つまたは複数のユーザー入力装置を介してユーザー入力を受領し、前記ユーザー入力に基づいて、画像の前記表示を操作し、読影中に過去の放射線医学検査を開いて閲覧し、読影を要約する放射線医学レポートを受け取り、該放射線医学レポートを前記放射線医学検査アーカイブに記憶するよう動作する段階；および
放射線医学検査の読影の間に前記一つまたは複数のユーザー入力装置を介して受領されたユーザー入力の活動ログを記録する段階とを含む、ことと；
患者の現在の放射線医学検査の放射線科医による読影を行なうために前記ユーザー・インターフェースを提供している間に、関連する過去の放射線医学検査勧告プロセスを実行することであって：
当該放射線科医によって行なわれた読影の間に当該放射線科医が過去の放射線医学検査を開き、閲覧することを含む以前の活動データを記録する前記活動ログの内容から導出される、放射線科医固有の関連性識別基準を使って、前記放射線医学検査アーカイブに記憶されている当該患者の少なくとも一つの以前に読影された放射線医学検査を、当該患者の前記現在の放射線医学検査に関連するものとして識別する段階；および
前記少なくとも一つの、関連する、以前に検査された放射線医学検査の指標を前記ディスプレイに表示する段階とを含む、こと
とを実行するよう前記コンピュータを動作させるようプログラムされている、放射線医学ワークステーション。
【請求項２】
前記識別する段階が：
ある特徴の集合について、前記現在の放射線医学検査の特徴値と一致する特徴値を有する前記放射線科医によって読影された等価な放射線医学検査を同定し；
前記等価な放射線医学検査を読影している間に、前記放射線科医によって前記活動ログ記録が開かれて閲覧された参照放射線医学検査を同定し；
前記患者の前記少なくとも一つの以前に読影された放射線医学検査を、前記患者の前記少なくとも一つの以前に読影された放射線医学検査の特徴値と前記参照放射線医学検査の特徴値との類似性に基づいて同定することを含む、
請求項１記載の放射線医学ワークステーション。
【請求項３】
前記特徴の集合が、画像モダリティー、身体部分、身体セクション、主要身体構造、検査の理由、手順の記述および検査日のうちの少なくとも三つを含む、請求項２記載の放射線医学ワークステーション。
【請求項４】
前記特徴の集合が、少なくとも画像モダリティー、身体部分、身体セクション、主要身体構造および検査の理由を含む、請求項２記載の放射線医学ワークステーション。
【請求項５】
参照放射線医学検査の同定がさらに：
それぞれの参照放射線医学検査に対して、その参照放射線医学検査を開いて閲覧することに関係する前記活動ログの内容に基づいて、関連性メトリックを割り当てることを含み、該関連性メトリックは：閲覧された画像の数；以前の検査の諸画像の全閲覧時間；全スクロール距離、マウス・クリックの総数および以前の検査が開いていた総時間のうちの少なくとも二つを含む、
請求項２または３記載の放射線医学ワークステーション。
【請求項６】
前記患者の前記少なくとも一つの以前に読影された放射線医学検査を、特徴値の類似性に基づいて同定することが：
前記抽出された特徴および前記関連性メトリックを使ってモデルをトレーニングし；
前記モデルを、前記患者の前記少なくとも一つの以前に読影された放射線医学検査の前記特徴値に適用して、前記患者の前記現在の放射線医学検査に対する関連性を同定することを含む、
請求項２ないし４のうちいずれか一項記載の放射線医学ワークステーション。
【請求項７】
前記少なくとも一つのプロセッサがさらに、
前記患者の前記少なくとも一つの以前に読影された放射線医学検査の、前記患者の前記現在の放射線医学検査に対する前記の決定された関連性に基づいて、前記モデルを更新するようプログラムされている、
請求項６記載の放射線医学ワークステーション。
【請求項８】
画像取得方法を実行するよう少なくとも一つのプロセッサを制御するためのソフトウェアを担持する非一時的なコンピュータ可読媒体であって、前記方法は：
放射線医学検査の読影を行なうためのユーザー・インターフェースを提供することであって：
読影中の現在の放射線医学検査の画像を前記ディスプレイに表示する段階；
前記一つまたは複数のユーザー入力装置を介してユーザー入力を受領し、前記ユーザー入力に基づいて、画像の前記表示を操作し、読影中に過去の放射線医学検査を開いて閲覧し、読影を要約する放射線医学レポートを受け取り、該放射線医学レポートを前記放射線医学検査アーカイブに記憶するよう動作する段階；および
放射線医学検査の読影の間に前記一つまたは複数のユーザー入力装置を介して受領されたユーザー入力の活動ログを記録する段階とを含む、ことと；
患者の現在の放射線医学検査の放射線科医による読影を行なうために前記ユーザー・インターフェースを提供している間に、関連する過去の放射線医学検査勧告プロセスを実行することであって：
当該放射線科医によって行なわれた読影の間に当該放射線科医が過去の放射線医学検査を開き、閲覧することを含む以前の活動データを記録する前記活動ログの内容に基づいて、前記放射線医学検査アーカイブに記憶されている当該患者の少なくとも一つの以前に読影された放射線医学検査を、当該患者の前記現在の放射線医学検査に関連するものとして識別する段階；および
前記少なくとも一つの、関連する、以前に検査された放射線医学検査の指標を前記ディスプレイに表示する段階を含む、こと
とを含む、非一時的なコンピュータ可読媒体。
【請求項９】
前記識別する段階が：
ある特徴の集合について、前記現在の放射線医学検査の特徴値と一致する特徴値を有する前記放射線科医によって読影された等価な放射線医学検査を同定し；
前記等価な放射線医学検査を読影している間に、前記放射線科医によって前記活動ログ記録が開かれて閲覧された参照放射線医学検査を同定し；
前記患者の前記少なくとも一つの以前に読影された放射線医学検査を、前記患者の前記少なくとも一つの以前に読影された放射線医学検査の特徴値と前記参照放射線医学検査の特徴値との類似性に基づいて同定することを含む、
請求項８記載の非一時的なコンピュータ可読媒体。
【請求項１０】
前記特徴の集合が、画像モダリティー、身体部分、身体セクション、主要身体構造、検査の理由、手順の記述および検査日のうちの少なくとも三つを含む、請求項９記載の非一時的なコンピュータ可読媒体。
【請求項１１】
前記特徴の集合が、少なくとも画像モダリティー、身体部分および検査の理由を含む、請求項９記載の非一時的なコンピュータ可読媒体。
【請求項１２】
参照放射線医学検査の同定がさらに：
それぞれの参照放射線医学検査に対して、その参照放射線医学検査を開いて閲覧することに関係する前記活動ログの内容に基づいて、関連性メトリックを割り当てることを含み、該関連性メトリックは：閲覧された画像の数；以前の検査の諸画像の全閲覧時間；全スクロール距離、マウス・クリックの総数および以前の検査が開いていた総時間のうちの少なくとも二つを含む、
請求項９または１０記載の非一時的なコンピュータ可読媒体。
【請求項１３】
前記患者の前記少なくとも一つの以前に読影された放射線医学検査を、特徴値の類似性に基づいて同定することが：
前記抽出された特徴および前記関連性メトリックを使ってモデルをトレーニングし；
前記モデルを、前記患者の前記少なくとも一つの以前に読影された放射線医学検査の前記特徴値に適用して、前記患者の前記現在の放射線医学検査に対する関連性を同定することを含む、
請求項９ないし１１のうちいずれか一項記載の非一時的なコンピュータ可読媒体。
【請求項１４】
前記患者の前記少なくとも一つの以前に読影された放射線医学検査の、前記患者の前記現在の放射線医学検査に対する前記の決定された関連性に基づいて、前記モデルを更新することをさらに含む、
請求項１３記載の非一時的なコンピュータ可読媒体。
【請求項１５】
請求項２記載の放射線医学ワークステーションであって、
前記内容が：画像モダリティー、身体部分、身体セクション、主要身体構造、検査の理由、手順の記述および検査日のうちの少なくとも三つを含む特徴の集合を含み、
前記少なくとも一つの、関連する、以前に検査された放射線医学検査の指標を前記ディスプレイに表示する、
放射線医学ワークステーション。
【国際調査報告】
2019537114.tif 000008
2019537114.tif 000009
2019537114.tif 000010